(57)【要約】【課題】浴槽への着脱が容易で、しかも使用者に枕の堅さや冷たさを感じさせない浴槽用枕を提供する。【解決手段】浴槽用枕１は、頭部保持部材２と、浴槽８に着脱可能な吸盤部材３からなる。吸盤部材３は吸盤部４と円柱状の凸部５を有し、この凸部５に対応した凹部６が頭部保持部材２に設けられている。そして浴槽用枕１として使用する際、この凹凸部を嵌合させて浴槽８に固定させることができる。この時、凸部５と凹部６は浴槽リム面上で嵌合され、しかもなるべく密に当接されるよう構成することが好ましい。また頭部保持部材２は、ポリエチレン樹脂又は変性ポリエチレン樹脂の独立発泡組成物で形成されてなることが望ましい。【選択図】      図１
2004202123.tif 000002
【特許請求の範囲】
【請求項１】
浴槽用枕にあって、浴槽用枕は頭部保持部材と、浴槽に着脱可能な吸盤部材からなり、前記２部材は離間可能に構成されていると共に、前記２部材の連結手段が頭部保持部材に設けた凹部と、吸盤部材に設けた凸部であることを特徴とする浴槽用枕。
【請求項２】
吸盤部材に設けた凸部が、棒柱形状である請求項１記載の浴槽用枕。
【請求項３】
吸盤部材に設けた凸部が、直径１０〜３０φ、高さ１０〜３０ｍｍの円柱形状である請求項２記載の浴槽用枕。
【請求項４】
吸盤部材には吸盤ノブが設けられている請求項１乃至３のいずれかに記載の浴槽用枕。
【請求項５】
頭部保持部材が、独立発泡樹脂組成物で形成されてなる請求項１乃至４のいずれかに記載の浴槽用枕。
【請求項６】
頭部保持部材が、ポリエチレン発泡組成物又は変性ポリエチレン発泡組成物で形成されてなる請求項１乃至５のいずれかに記載の浴槽用枕。
【発明の詳細な説明】
【０００１】
【発明の属する技術分野】
本発明は浴槽に取り付けられる着脱可能な枕に関する。
【０００２】
【従来の技術】
入浴中、浴槽の周縁部に首筋や頭部をもたれかけさせてリラックスする際に用いる浴槽用枕として、浴槽に固着可能な取付部材を設けた浴槽用枕がある。例えば、弾性体で構成されたシート体に複数個の着脱吸盤部材を設けた浴槽用枕が提案されており、浴槽本体の任意の位置に移動させて簡易に着脱させることができるとある。（例えば、特許文献１参照）
【０００３】
【特許文献１】
実用新案登録第３０４４１１３号公報
【０００４】
【発明が解決しようとする課題】
しかし、前記浴槽枕においては枕部材に吸盤が固着しているため、風呂蓋を使用する度に、浴槽から吸盤を含む枕全体を取り外さなければならず、吸盤が劣化しやすいといった不具合があった。また吸盤は大きさがある程度大きいものとなると脱着の折に力が必要となることから、所望の固着力を得るとともに脱着を容易ならしめるためには小さな吸盤を複数個取り付ける必要があるといった問題がある。
【０００５】
更に、弾性体を構成する樹脂種によっては、使用者が硬さや冷たさなどの不快感を感じることがあった。この不快感を和らげるために枕部を発泡体で構成することが提案されているが、発泡体における気泡の状態によっては、湯水が枕部材の内部に含水され、カビなどの発生の原因になるといった問題があった。
【０００６】
本発明は以上の如き問題に鑑みてなされたものであり、脱着を容易におこなうことができ、しかも高い断熱性と柔軟性を有する浴槽用枕を提供することを目的とするものである。
【０００７】
【課題を解決する為の手段】
本発明は上記目的を達成する為に、本願請求項１記載の発明においては、浴槽用枕にあって、浴槽用枕は頭部保持部材と、浴槽に着脱可能な吸盤部材からなり、前記２部材は離間可能に構成されていると共に、前記２部材の連結手段が頭部保持部材に設けた凹部と、吸盤部材に設けた凸部であることを特徴とする。
【０００８】
本願請求項２記載の発明は、請求項１記載の浴槽用枕にあって、吸盤部材に設けた凸部が棒柱形状であることを特徴とする。
【０００９】
本願請求項３記載の発明は、請求項２記載の浴槽用枕にあって、吸盤部材に設けた凸部が、直径１０〜３０φ、高さ１０〜３０ｍｍの円柱形状であることを特徴とする。
【００１０】
本願請求項４記載の発明は、請求項１乃至３のいずれかに記載の浴槽用枕にあって、吸盤部材には吸盤ノブが設けられていることを特徴とする。
【００１１】
本願請求項５記載の発明は、請求項１乃至４のいずれかに記載の浴槽用枕において、頭部保持部材が、独立発泡樹脂組成物で形成されてなることを特徴とする。
【００１２】
本願請求項６記載の発明は、請求項１乃至５のいずれかに記載の浴槽用枕において、頭部保持部材が、ポリエチレン発泡組成物又は変性ポリエチレン発泡組成物で形成されてなることを特徴とする。
【００１３】
【発明の実施の形態】
以下、図面を参照に本発明を説明するが、以下の実施例に限定されるものではない。
図１によると、本発明に係る浴槽用枕１は頭部保持部材２と、浴槽８に着脱可能な吸盤部材３からなる。吸盤部材３は吸盤部４と円柱状の凸部５を有し、この凸部５に対応した凹部６が頭部保持部材２に設けられている。そして浴槽用枕１として使用する際、この凹凸部を嵌合させて浴槽８に固定させることができる。この時、凸部５と凹部６は浴槽リム面上で嵌合され、しかもなるべく密に当接されるよう構成することが好ましい。また風呂蓋を使用する時は、吸盤部材３を浴槽８に固着したまま頭部保持部材２のみ取り外しが可能なため、繰り返しの脱着による吸盤部材３の劣化を抑制できるといった効果がある。
【００１４】
吸盤部材３には、吸盤ノブ７を形成することで、吸盤部材３の取り外しを容易ならしめることができる。浴槽８から吸盤部材３を取り外す時、この吸盤ノブ７をつまめば、容易に浴槽から吸盤部材３を除去できるものである。即ち、吸盤を大きく設計することが可能であり、従来のように小さな吸盤を複数個取り付ける必要がなくなる。尚、吸盤部材３における凸部５の形状として円柱形状を例示しているがこれに限るものではなく、例えば断面多角形の棒柱形状などでもよい。凸部５が円柱形状である場合は、耐久性を考慮すると直径１０〜３０φ、高さ１０〜３０ｍｍに構成することが好ましい。
【００１５】
頭部保持部材２は、好ましくは発泡樹脂組成物によって形成されてなる。樹脂としては、ポリエチレン或いは、ポリエチレン・酢酸ビニルコポリマーなどの変性ポリエチレンが好ましく用いられる。これらのポリエチレン系樹脂は表面がざらつくことがないように発泡させて、表面が平滑な頭部保持部材２を形成することができる。また前記発泡樹脂で形成された頭部保持部材２は、断熱性が高く、柔軟なことから、使用者は快適な入浴を楽しむことができる。更に、発泡体は独立気泡に形成すると、浴槽中の湯水が表面にかかった際にも含水されず、衛生的であるといった利点がある。
【００１６】
上記発泡樹脂組成物には抗菌剤を混入して、抗菌機能を付与することが可能である。抗菌剤としては、例えばリン酸カルシウムやハイドロキシアパタイト等を担体として金属銀を担時させたものを用いることができる。また必要に応じて顔料等を配合して着色することもできる。
【００１７】
頭部保持部材２の製造方法としては、発泡させた樹脂シートを適宜裁断し、メス型に挿入して加熱加圧成形することにより得られる。この際、発泡倍率が８〜１２倍になるよう調節すると、高い断熱性や柔軟性が得られる。
【００１８】
吸盤部材２は、好ましくは無発泡の樹脂組成物で形成される。樹脂としては一般に使用される合成樹脂が用いられる。尚、吸盤部材２、特に凸部５においては、使用時に強い負荷がかかることから、芯材等で補強することも可能である。
【００１９】
【発明の効果】
以上のように本願請求項１記載の発明では、浴槽用枕にあって、浴槽用枕は頭部保持部材と、浴槽に着脱可能な吸盤部材からなり、前記２部材は離間可能に構成されていると共に、前記２部材の連結手段が頭部保持部材に設けた凹部と、吸盤部材に設けた凸部であることを特徴とする。頭部保持部材と吸盤部材が凹凸の連結手段により離間可能に構成されているために、ワンタッチで容易に枕部分のみを着脱させることができる。また固着手段が吸盤であることから、所望の個所に浴槽用枕を取り付けられる。
【００２０】
また請求項２記載の発明は、吸盤部材に設けた凸部が、棒柱形状であることを特徴とする。凸部と凹部の嵌合を容易ならしめる効果がある。
【００２１】
また請求項３記載の発明は、吸盤部材に設けた凸部が、直径１０〜３０φ、高さ１０〜３０ｍｍの円柱形状であることを特徴とする。凸部と凹部の嵌合がスムーズとなるとともに耐久性にも問題がない。
【００２２】
また請求項４記載の発明は、吸盤部材には吸盤ノブが設けられていることを特徴とする。浴槽から吸盤部材の取り外しが容易であり、吸盤を大きく設計できるといった利点がある。
【００２３】
また請求項５記載の発明は、頭部保持部材が、独立発泡樹脂組成物で形成されてなることを特徴とする。発泡形態として独立発泡を選択することで、湯水が内部に含水されず、清潔に使用することができる。
【００２４】
また請求項６記載の発明は、頭部保持部材が、ポリエチレン発泡組成物又は変性ポリエチレン発泡組成物で形成されてなることを特徴とする。前記発泡樹脂で形成された頭部保持部材は、高い断熱性と柔軟性を有すると共に表面が平滑であり、使用者は快適に入浴を楽しむことができる。
【図面の簡単な説明】
【図１】本発明に係る浴槽用枕を浴槽に固着した状態を示す断面図である。
【図２】浴槽用枕の吸盤部材の斜視図である。
【符号の説明】
１    浴槽用枕
２    頭部保持部材
３    吸盤部材
４    吸盤部
５    凸部
６    凹部
７    吸盤ノブ
８    浴槽
【図１】
2004202123.tif 000003
【図２】
2004202123.tif 000004